(57)【要約】  【課題】従来の三脚脚立に若干の改良工夫を加えるだけで、作業対象物により近い位置で適切に作業が行えるようにした、使い勝手に優れた三脚脚立を提供する。  【解決手段】はしご部１と、このはしご部１の上端側に位置する頂部２と、この頂部２からはしご部１とは異なる方向に延びる支柱３とを備え、支柱３がはしご部１に対して折り畳み、展開可能に構成された脚立本体Ａに対して、頂部２に、支柱３をはしご部１側へ折り畳んだ状態若しくは折り畳む方向に移動させた状態で作業対象物に優先的に係り合う係合部４２を設け、この係合部４２を介してはしご部１を作業対象物に少なくとも横ずれしないように立て掛け得るように構成した。  【選択図】図１
2008303694.tif 000002
【特許請求の範囲】
【請求項１】
はしご部と、このはしご部の上端側に位置する頂部と、この頂部からはしご部とは異なる方向に延びる支柱とを備え、支柱がはしご部に対して折り畳み、展開可能に構成された脚立本体に対して、前記頂部に、支柱をはしご部側へ折り畳んだ状態若しくは折り畳む方向に移動させた状態で作業対象物に優先的に係り合う係合部を設け、この係合部を介してはしご部を作業対象物に少なくとも横ずれしないように立て掛け得るように構成したことを特徴とする三脚脚立。
【請求項２】
係合部を備えた脚立用補助具を、頂部の一部に脱着可能に取り付け得るようにしている請求項１記載の三脚脚立。
【請求項３】
頂部に対する脚立用補助具の取付位置が可変であって、頂部から脚立用補助具の係合部までの距離を調節可能としている請求項２記載の三脚脚立。
【請求項４】
係合部が頂部に一体に組み込まれ、通常の脚立として使用する際は邪魔にならない部位に位置し、必要に応じて頂部の側方に持ち出し得るようにしている請求項１記載の三脚脚立。
【請求項５】
作業対象物が樹木であり、係合部が樹木の幹の外周に沿って一部抱くように添接する湾曲状若しくは屈曲状のものである請求項１〜４何れかに記載の三脚脚立。
【請求項６】
請求項２又は３記載の三脚脚立を構成するものであって、脚立本体の頂部に対して脱着可能であり、頂部から側方に延びて作業対象物に優先的に係り合う係合部を有することを特徴とする脚立用補助具。
【発明の詳細な説明】
【技術分野】
【０００１】
本発明は、設置状態をより適正化ならしめた三脚脚立及び脚立用補助具に関するものである。
【背景技術】
【０００２】
従来より、脚立として四脚脚立や三脚脚立などが広く知られている。そのなかでも、特に三脚脚立は、３本の脚で自立するため、庭園内の不陸地や、庭石、庭木などの障害が多く混在する箇所での安定設置に優れ、植木職人などの高所作業用道具として広く利用されている。
【０００３】
従来の三脚脚立は、図４に例示するように、脚柱１１、１１間に桟１２を架設して構成されるはしご部１と、このはしご部１の上端側に取り付けた頂部２と、この頂部２からはしご部１とは異なる方向に延びる支柱３とを備え、支柱３がはしご部１に対して折り畳み、展開可能に構成されている。そして、支柱３を開いて設置することにより３点で接地して、本来の目的に沿って立てた姿は、三角錐の形状を成すものとなっている。
【０００４】
この三脚脚立の使用方法について説明すると、例えば植木や果樹などの剪定時には、図５に示すように支柱３側を作業対象物である樹木Ｂ等に向けて設置する。そして、作業者が、必要な高さまではしご部１を伝い登り、任意の高さではしご部１上に立った状態で枝ｂｒ等に対して剪定作業を行う。はしご部１に登った作業者は、作業の進捗に合わせ、はしご部１上を上下、左右に移動しながら作業のための足場を確保するが、通常の姿勢で樹木Ｂの幹ｂに向かって対峙することになるため、正面に対する作業のほか、体の向きを変えれば左右方向を含めて３方に広角の作業範囲を確保することができるものである。
【０００５】
この種の三脚脚立の構造は例示するまでもなく周知であるが、敢えて近時の文献を例示するとするならば、設置状態の安定化を図った特許文献１のようなものが挙げられる。
【特許文献１】特開２００２−３０９８７８号公報
【発明の開示】
【発明が解決しようとする課題】
【０００６】
ところで、作業目的によっては、足場となるはしご部１を作業対象物に極力近づけたい場合がある。しかしながら、図５に示したように、はしご部１とは異なる方向に延びる支柱３を幹ｂの根元と干渉する位置を越えて近づけることはできないため、樹木Ｂ等との間に必要以上に間合いが開くことが避けがたい場合がある。
【０００７】
このような場合には、図６に示すように三脚脚立をほぼ９０度横向きに配置してはしご部１を幹ｂに近づけることなども行われている。しかしながら、このようにすると、図７に示すようにはしご部１を登るにつれて幹ｂに対する作業者Ｗの位置が変化する上に、体を幹ｂに対峙させるためには９０°横を向かなければならないため、不自然な作業姿勢を強いられ、さらに三方向に対する広角の作業が難しくなるとともに、はしご部１や支柱３、作業者が枝ｂｒと干渉し易くなる点も新たな不都合となる。特許文献１のものは、本発明とは別異の目的でなされているものではあるが、支柱以外に補助のための支持杆を用いることから、幹などとより干渉し易いものになっている。
【０００８】
本発明は、このような課題に着目してなされたものであって、従来の三脚脚立に若干の改良工夫を加えるだけで、作業対象物により近い位置で適切に作業が行えるようにした、使い勝手に優れた三脚脚立及びそのための脚立用補助具を提供することを目的としている。
【課題を解決するための手段】
【０００９】
本発明は、かかる目的を達成するために、次のような手段を講じたものである。
【００１０】
すなわち、本発明の三脚脚立は、はしご部と、このはしご部の上端側に位置する頂部と、この頂部からはしご部とは異なる方向に延びる支柱とを備え、支柱がはしご部に対して折り畳み、展開可能に構成された脚立本体に対して、前記頂部に、支柱をはしご部側へ折り畳んだ状態若しくは折り畳む方向に移動させた状態で作業対象物に優先的に係り合う係合部を設け、この係合部を介してはしご部を作業対象物に少なくとも横ずれしないように立て掛け得るように構成したことを特徴とする。
【００１１】
このように構成すると、はしご部を作業対象物に対峙させるように配置しても支柱が作業対象物と干渉することが回避されるため、はしご部を作業対象物に適度に近づけて、はしご部に登った際に適切な間合いを確保することができる。しかも、左右を含めて三方への作業範囲が確保され、下の枝が邪魔になる設置状態となることも有効に回避することが可能となる。
【００１２】
通常の使用の態様と、はしご的な使用の態様とを選択的にとり得るようにするためには、係合部を備えた脚立用補助具を、頂部の一部に脱着可能に取り付け可能としておくことが望ましい。
【００１３】
作業対象物との間合いを適正化するためには、頂部に対する脚立用補助具の取付位置が可変であって、頂部から脚立用補助具の係合部までの距離を調節可能としていることが好ましい。
【００１４】
取り扱いの便をより向上させるためには、係合部が頂部に一体に組み込まれ、通常の脚立として使用する際は邪魔にならない部位に位置し、必要に応じて頂部の側方に持ち出し得るように構成しておくことが便利である。
【００１５】
具体的な実施の態様としては、作業対象物が樹木であり、係合部が樹木の幹の外周に沿って一部抱くように添接する湾曲状もしくは屈曲状をなしているものが挙げられる。この場合の湾曲や屈曲の度合いは、幹の太さが多少異なっても一部に係合させれば横ずれ防止効果は有効に働かせることができる。但し、幹の径よりも大きい湾曲や屈曲であると横ずれが発生し得るので、通常取り扱う範囲で想定される比較的小さめの幹の径に対して適切な湾曲や屈曲となるように設定しておくことが望ましい。
【００１６】
また、本発明の脚立用補助具は、脚立本体の頂部に対して脱着可能であり、頂部から側方に延びて作業対象物に優先的に係り合う係合部を有するものであり、既存の脚立本体の頂部にそのまま、或いは若干の改良を施した上で取り付けることにより、本発明の三脚脚立を有効に構成することができる。
【発明の効果】
【００１７】
本発明は、以上説明した構成であるから、三脚脚立本来の使用状態とはしご的な使用状態とを選択的に利用することができ、これにより現場における設置状態に一層の自由度をもたせて、植木職人などの行う高所作業に係る作業性を飛躍的に高めるた優れた三脚脚立及び脚立用補助具を提供することができる。
【発明を実施するための最良の形態】
【００１８】
以下、本発明の一実施形態を、図面を参照して説明する。
【００１９】
この実施形態は、図４に示した従来の三脚脚立を脚立本体Ａとし、この脚立本体Ａに図１に示す脚立用補助具４を取り付けて構成される。
【００２０】
脚立本体Ａは図４に基づいて説明したと同様、はしご部１と、このはしご部１の上端側に設けた頂部２と、この頂部２からはしご部１とは異なる方向に延びる支柱３とを備えている。
【００２１】
はしご部１は、一対の脚柱１１、１１間に複数の桟１２を所定間隔で架設したものであり、作業者が昇り降りして剪定作業等を行う際の足場を提供する。
【００２２】
頂部２は、図１に拡大図示するように、枠フレーム２１の内側に桟１２と平行な架材２２を掛け渡したもので、この頂部２ははしご部１の上端側に一体的に設けられており、作業者が腰を降ろして作業を行う利用形態が可能である。
【００２３】
これらのはしご部１や頂部２には、図示しない補強パイプ等を用いて適宜の補強がなされている。
【００２４】
一方、支柱３は、頂部２の枠フレーム２１の一部に嵌合パイプ３１を介して回転可能に取り付けたもので、はしご部１に対して折り畳み、展開可能とされており、この支柱３をはしご部１に対し開脚して設置した状態で、脚立全体が図４に示す概略三角錐の形状を成すものとなっている。なお、一定以上の開脚を防止するストッパーを始め、自立に必要な適宜の構造を備える点は従来と同様である。
【００２５】
このような脚立本体Ａに対して、本実施形態は、図１及び図２に示すように、その頂部２の下方に、架材２２と直交する方向に２本のパイプ材２３を嵌合パイプ３１の挙動を妨げない状態で一体的に取り付けている。このパイプ材２３は、頂部２の枠フレーム２１の下に一方の開口端２３ａが位置するように設けられ、長手方向の間欠位置に下方に開口するピン穴２３ｂを有している。そして、その開口端２３ａに脚立用補助具４を着脱可能に取り付けるようにしている。
【００２６】
脚立用補助具４は、二股に分岐した基端側に前記パイプ材２３の開口端２３ａに嵌入可能な差込部４１を有し、先端側に平面視ほぼＹ字をなすように部分円弧状に拡開する係合部４２を有したもので、その差込部４１に、前記パイプ材２３のピン穴２３ｂと同一ピッチのピン穴４１ａが開口し、係合部４２の外面には連続的な波状ないし鋸歯状の凹凸部４２ａが形成されている。勿論、凹凸部は横ずれを防止できればこのような形状に限られるものではない。
【００２７】
そして、この脚立用補助具４の差込部４１をパイプ材２３の開口端２３ａより内部に差込み、所要の差込深さでピン穴４１ａ、２３ｂに図示しないピンを差し込むことによって、図１に示すように、はしご部１から離れる方向に向けて脚立用補助具４をほぼ水平に突出させて取付、固定し得るようにしている。突出量はどの位置のピン穴４１ａ、２３ｂ同士を合致させるかによって調整可能であり、ピン穴の数を増やせばより多段階な調節が可能になる。
【００２８】
このようにして脚立本体Ａに脚立用補助具４を取り付け、支柱３をはしご部１側へ折り畳んだ状態若しくは折り畳む方向に移動させた状態で、この脚立を作業対象物である樹木Ｂ等に近づけると、図３に示すように係合部４２が作業対象物である樹木Ｂ等の幹ｂに優先的に係り合い、この係合部４２を介してはしご部１を、作業対象物である樹木Ｂ等の幹ｂに少なくとも横ずれしないように立て掛けることが可能となる。
【００２９】
このように、はしご部１を作業対象物である樹木Ｂ等に対峙させて配置しても支柱３が樹木Ｂ等と干渉することが回避されるため、図５のものに比してはしご部１を樹木Ｂ等により適度に近づけて配置することができ、はしご部１に登った際に樹木Ｂの幹ｂ等との間に適切な間合いを確保して作業を行うことができる。しかも、はしご部１に登った作業者は幹ｂと対峙する姿勢をとるため、図６の状態とは異なり正面及び左右の三方に広角に作業範囲が確保されることになり、また図7に示したように登るにつれて作業者の体が幹ｂから外れる不都合や、下の枝ｂｒが邪魔になる不都合も有効に回避することができる。
【００３０】
特に、係合部４２を備えた脚立用補助具４を、頂部２の一部に脱着可能に取り付け得るようにしているので、不要なときは脚立用補助具４を撤去して脚立本体Ａを図４及び図５に示した通常の三脚脚立として使用し、必要な時は脚立本体Ａに脚立用補助具４を取り付けて図３に示したようにはしご的に使用することができる。また、頂部２の構造が同じであれば、高さの異なる三脚脚立をそれぞれ脚立本体Ａとして同じ脚立用補助具４を使い回すことも可能となる。
【００３１】
その際、はしご的に立て掛ける場合は、自立させる場合とは異なりそのままでは作業対象物との間合いを調整できないが、本実施形態では頂部２に対する脚立用補助具４の取付け位置を可変としていて、頂部２から脚立用補助具４の係合部４２までの水平方向の距離を調節可能としているので、現場にて適切な間合いを確保することができる。
【００３２】
とりわけ、作業対象物が樹木Ｂ等であり、係合部４２が樹木Ｂ等の幹ｂの外周に沿って一部抱くように添接する湾曲状のものであるので、立て掛けた際の脚立全体の横ずれを適切に防止して、安定した使用状態を確保することができる。
【００３３】
そして、この脚立用補助具４が、脚立本体Ａの頂部２に対して脱着可能であり、頂部２から側方に延びて作業対象物に優先的に係り合う係合部４２を有するものであるので、既存の脚立本体Ａの頂部２にパイプ材２３のような取付部が存する場合にはそのまま取り付ければよく、そのような部位が存しない場合にはパイプ材２３などの取付部を付加するといった若干の改良を施した上で脚立用補助具４を取り付けることにより、本発明の三脚脚立を有効に構成することができる。
【００３４】
なお、各部の具体的な構成は、上述した実施形態のみに限定されるものではない。
【００３５】
例えば、脚立用補助具４の着脱構造は、パイプ同士の嵌合構造の他に、クランプやベルト等の固定具を用いた固定構造にしても構わない。
【００３６】
また、係合部が頂部に一体に組み込まれ、通常の脚立として使用する際は邪魔にならない部位に位置し、必要に応じて頂部の側方に持ち出し得るように構成することも有効である。以下、図８、図９に基づいて説明するが、これらの図においては、後述する図１０を含めてはしご部が図示省略してある。
【００３７】
例えば、図８に示すものは、枠フレーム２１のうち２辺を枠から突出させて開口端２１ｐとし、この開口端２１ｐに、湾曲する係合部１４２の両端から同じ方向に屈曲させた基端１４２ａを差し込むようにしたもので、必要に応じて同図（ａ）から同図（ｂ）に示すように係合部１４２を引き出し、所定の引き出し位置に固定できるようにしている。このような一体組み込み式のものは、常に係合部１４２が脚立本体に付帯するため、取り扱いに便利となる。
【００３８】
図９は、一体組み込み式の他の変形例を示すものである。この三脚脚立は、頂部２を構成する枠フレーム２１の一部２１ｘが架材２２ｘとともに同図（ａ）→同図（ｂ）、同図（ｂ）→同図（ａ）のように回転可能となっており、架材２２ｘは通常位置で枠フレーム２１の内側に邪魔にならないように収まって作業者が腰を下ろすことができる環境を与えるが、架材２２ｘを回転させると、ほぼ１８０°回転した際に適宜のロック構造あるいはラッチ構造によりその位置に固定されるようにしている。架材２２ｘの一部は湾曲した係合部２２ｙを兼ねており、上記の回転によりこの係合部２２ｙが頂部２の側方に持ち出されて、上記実施形態と同様に幹に係合してはしご部を横ずれしないように立て掛け得るようにしている。この場合も、図（ｂ）に想像線で示すように、係合部２２ｙの位置を突没動作等を通じて可変とすることによって幹との間合いを調整できるように構成しておくことが望ましい。この係合部２１ｙにも凹凸部を設けておくことが好ましいのは言うまでもない。
【００３９】
さらに、図１０に示すように、頂部を構成する枠フレーム２１それ自体の一部を支柱３の回転動作を妨げないように変形させて係合部２１ｚとし、はしご的に使用する際にその係合部２１ｚを優先的に幹などに係合させるようにすることも有効となる。この係合部２１ｚにも凹凸部を設けておくことが望ましいのは上記と同様である。
【００４０】
その他、各部の具体的な形状や構造、大きさなども、本発明の趣旨を逸脱しない範囲で種々変形が可能である。
【図面の簡単な説明】
【００４１】
【図１】本発明の一実施形態を示す斜視図。
【図２】図１の頂部付近を示す部分底面図。
【図３】同実施形態の使用状態を示す側面図。
【図４】従来の三脚脚立を示す斜視図。
【図５】同三脚脚立の使用状態を示す側面図。
【図６】同三脚脚立の他の使用状態を示す図。
【図７】同三脚脚立の他の使用状態を示す図。
【図８】本発明の他の実施形態を示す図。
【図９】本発明のさらに他の実施形態を示す図。
【図１０】本発明の上記以外の実施形態を示す図。
【符号の説明】
【００４２】
１…はしご部
２…頂部
３…支柱
４…脚立用補助具
４２、２２ｙ、２１ｚ…係合部
Ａ…脚立本体
Ｂ…作業対象物（樹木）
ｂ…幹
【図１】
2008303694.tif 000003
【図２】
2008303694.tif 000004
【図３】
2008303694.tif 000005
【図４】
2008303694.tif 000006
【図５】
2008303694.tif 000007
【図６】
2008303694.tif 000008
【図７】
2008303694.tif 000009
【図８】
2008303694.tif 000010
【図９】
2008303694.tif 000011
【図１０】
2008303694.tif 000012